Podtech/llm-jp-corpus-v4-ja_patent huggingface dataset:
(57)【要約】      （修正有）【課題】従来の電動車椅子は、車輪式の車椅子が大多数であり、階段を上る際一段一段上るものもあるが、準備段取りに非常に手間が掛かるので簡単に走行できる電動車椅子を提供する。【解決手段】電動車椅子の車輪をベルト式にし、尚ベルトをダウンスイング（ＥがＥ’Ｅ”）として、ベルト長を３倍近くすることにより、階段や段差ある走行を、より安全にクリアするようにする。【選択図】図１
2004275685.tif 000002
【特許請求の範囲】
【請求項１】
通常の電動車椅子が階段を上る事は不可能に近い、しかしベルト式（キャタビラ）ダウンスイングの発明により、気軽に階段上りが可能となる。
【発明の詳細な説明】
【０００１】
【発明の属する技術分野】
本発明は、単なるベルト式（キャタビラ）の電動車椅子だけでは階段を上る際、不都合が非常に多い。スペースが広い所、狭い所に必要に応じて走行しなければならない。それには、ベルトが短くなったり（図１Ｆ）、長くなったり（図３Ｈ，Ｆ，Ｈ）、自由自在に活用出来るベルト式（キャタビラ）ダウンスイングが必要となる。
【０００２】
【従来の技術】
従来の電動車椅子は、車輪の車椅子が大多数で階段を一段一段上る物もあるが、これは準備、段取りに非常に手間が掛かるので簡単に走行できる電動車椅子が要求される。
【０００３】
【発明が解決しようとする課題】
車椅子が階段を上る際、殆んどの車椅子は人力によるもの、又は特殊なリフトにて上り下りするのが通例である。これを簡単に上り下りする為には、ベルトがしゅうしくするものが必要となる。そこで、ベルトを３分割にして必要に応じ使用する。平坦走行は図１Ｆ使用、階段走行は図３Ｈ，Ｆ，Ｈ使用し解決とする。
【０００４】
【課題を解決するための手段】
ベルト式（キャタビラ）電動車椅子を必要に応じ短くし、また必要に応じて長くするには（Ｃ）を中心にして（Ｅ）が（Ｅ｀）になり、（Ｅ）が（Ｅ”）になる。ダウンスイングが最善であり、むろん（Ｅ）が頂点にある場合はＢ補助輪は回転しない当然（Ｈ）も不動であることで解決する。
【０００５】
【発明の実施の形態】
図１から図３になる事により、ＥがＥ’  Ｅ”になる事により階段を上る際は走行ベルトが長いほど有利で、又図２より図４になり、Ｈが外側に移動する事により尚一層安全が確認される。
【０００６】
【実施例】
以下、添付面に従って実施例を説明する。
第１に図１、図３においてＥをＥ’Ｅ”にする事により、左右のＨベルトが外カクに開く。ＢがＣクラッチギヤに絡結されＢ，Ｃが連結される事によりＨベルトが前後ともＦベルトと共に同方向に作動し、階段を上り下りすることが出来る。
【図面の簡単な説明】
【図１】本発明の電動車椅子が平坦地走行時の側面図である。
【図２】本発明の電動車椅子が平坦地走行時の後方より見た図面である。
【図３】本発明の電動車椅子がダウンスイング（Ｈ，Ｆ，Ｈ）して階段を上る際の側面図である。
【図４】本発明の電動車椅子がダウンスイングしてＨベルトが、外カクに開いた際の後方から見た図面である。
【符号の説明】
Ａ  走行主輪
Ｂ  補助輪
Ｃ  クラッチギヤ
Ｄ  ベルトアジアスト
Ｅ  補助プーリー
Ｅ’前方プーリー
Ｅ”後方プーリー
Ｆ  平坦ベルト
Ｇ  座シート
Ｈ  補助ベルト
Ｉ  プーリーアジアスト
Ｊ  肘掛
Ｋ  補助ハンドル
Ｌ  コントロールレバー
【図１】
2004275685.tif 000003
【図２】
2004275685.tif 000004
【図３】
2004275685.tif 000005
【図４】
2004275685.tif 000006
(57)【要約】【課題】画鋲、釘で壁紙や化粧板などに傷をつけずに絵や写真を貼ることができる軽量のボードを提供する。【解決手段】軽量にすることでスポンジ付き両面テープで貼ることができるようにした。【選択図】    図２
2004275686.tif 000002
【特許請求の範囲】
【請求項１】
いろいろな形をした厚みのある板状の発泡スチロール板（１）（ここでは特に円形とする）の表面（２）にイラスト、写真などを張り付け、壁面装飾、卓上装飾するためのボード。
【請求項２】
円形の発泡スチロール板（１）の中央部分に缶詰めパイナップルのスライス状に円形の穴（３）をあけて、芳香剤を装着する。
【発明の詳細な説明】
【０００１】
【発明の属する技術分野】
この発明は、今までになかった厚みのある小型サイズのピンナップ用ボードに関するものである。
【０００２】
【従来の技術】
従来は、画鋲、釘などを使用するか叉は画面にじかにセロファンテープで貼る方法であった。
【０００３】
【発明が解決しようとする課題】
これは、次のような欠点があった。
（イ）小さな額縁を架ける場合でも、釘や画鋲を使うため、壁に傷をつける。
（ロ）アルミサッシのドア、冷蔵庫の扉、ガラスには画鋲は使えない。
（ハ）画面に直にセロファンテープを貼ると破れることがある。
本発明は、これらの欠点を除くためになされたものである。
【０００４】
【課題を解決するための手段】
発泡スチロール（１）は軽量で厚みがある素材である。  発泡スチロール板の中央部分に穴（３）をあけることで、さらに軽量化され、市販のスポンジ付き両面テープで約５００グラムの荷重に耐えられるため、芳香剤を装着した場合でも十分に接着効果が得られる。
【０００５】
【発明の実施の形態】
以下、本発明の形態について説明する。
（イ）  円形の発泡スチロール板（１）の中央に円形の穴（３）をあけ、ドーナツ状にする。
（ロ）  円形の表面（２）には絵、写真の画面を貼り、裏面（４）の上部にはスポンジ付き両面テープ（５）をつける。
（ハ）  円形の穴（３）の部分には芳香剤を装着することができる。
本発明は以上のような構造で、使用するときは、円形発泡スチロール板（１）の側面にはテープなどを巻き付ける。
【０００６】
【発明の効果】
壁面などに傷つけずに貼ったり、剥がしたり、室内のいろいろなスペースで楽しく利用することが可能になる。
【図面の簡単な説明】
【図  １】本発明の表面（２）を斜めから見た図である。
【図  ２】本発明の裏面（４）を斜めから見た図である。
【符号の説明】
（１）  円形の発泡スチロール板  （２）  表面  （３）芳香剤を装着する穴
（４）裏面  （５）スポンジ付き両面テープ
【図１】
2004275686.tif 000003
【図２】
2004275686.tif 000004
(57)【要約】［課題］今日の加工食品には殆ど殺菌剤や防腐剤などが入っており、どうもそれが腸内菌を殺すばかりか、胃酸を中和して肉など蛋白質の消化を悪くしているのではないかと、もう何年も便秘が続くので、思い付いた。安全な肉を手頃な価格で時には十分摂りたい。それを街中で誰もが気軽に出来るようにならないかと考え、お好み焼き店でビフテキを出すことを思い付いた。［解決手段］お好み焼き店において、鉄板の上でビーフステーキを焼く場合に、「覆い蓋」として使用する、ガラス製の或いは側面を金属製に上面をガラス製にした、そしてそれらの「摘み」をガラスのみならず金属や合成樹脂とした、ステーキガラスカバー或いはステーキカバーと呼ぶことにする、ステーキを焼く場合の覆い蓋。【選択図】なし。【特許請求の範囲】
【請求項１】
お好み焼き店において、鉄板の上でビーフステーキを焼く場合に、「覆い蓋」として使用する、ガラス製の或いは側面を金属製に上面をガラス製にした、そしてそれらの「摘み」をガラスのみならず金属や合成樹脂とした、ステーキガラスカバー或いはステーキカバーと呼ぶことにする、ステーキを焼く場合の覆い蓋。
【発明の詳細な説明】
【０００１】
［発明の属する技術分野］
お好み焼き店の鉄板で、ビーフステーキを焼けば好いと気付いた。その場合の肉を覆って焼くガラス製の蓋である。
【０００２】
［従来の技術］
ビーフステーキは一般的にはフライパンで焼く。
私は若い折、大阪のビフテキ店で経験したのであるが、お好み焼き店のような鉄板を用いて焼く店があった。
フライパンでは、可なり強火で焼くらしいが、鉄板ではそこまで熱くすることは無理だったのか、金属製の蓋をして焼いていた。
【０００３】
［発明が解決しようとする課題］
ステーキハウスを展開してもよいが、大衆的に行くには、お好み焼き店で、ビフテキを焼いてもらうのが合理的であると考えた。
【０００４】
［課題を解決するための手段］
その場合、昔のように金属製の覆い蓋を用いるより、焼いている肉の様子がよく見えるガラス製にすると好いと気付いた。
［発明の実施の形態］
本発明は、「特許請求の範囲」に簡潔に述記してある。
【０００６】
［発明の効果］
ビフテキは、「焼く前に、塩、胡椒で調味しておき、最初両面を強火で焼き、表面に蛋白質の熱凝固が出来てから弱火で焼く（「現代新百科事典（学研・１９６６年）」）」のが本式らしい。
お好み焼きの鉄板に強火が出せるかどうかよく判らないが、出せなく、本発明を用いても味が落ちるようであれば、フライパンで両面に熱凝固を付けたものを鉄板に出しても宜しい。
その場合でも、フライパンで焼き上げて、皿に盛って出すより、熱い鉄板で焼いて、温かさを保ちながら、食べる方が遙に美味しいだろうと思う。
最近、全くお目に掛からないが、私は学生時代、大隈会館で昼食と言えば、ポークソテーを摂っていた。ポークのステーキをソテーと呼ぶのかも判らない。ビーフのみならずポークも出すとよいと思う。
時代は、巡り返って、また農産、水産、林産資源に依存する割合が増えて来よう。肉においても、マトンなどが我国にも沢山入って来るようになろう。ジンギス汗料理なども本発明を用いる鉄板焼きで行きたい。
(57)【要約】【課題】今までの、スノーボード用ビンディングシステムとブーツは、ストラップ式と踏み込み式があり、ストラップ式は完全に固定ができるものの、着脱に時間がかかり、踏み込み式は、着脱は早いが固定する点では完全に劣っていた。【解決手段】スノーボード本体１にストラップ式２と踏み込み式３の両方のビンディングを片足ずつに使用する。それに伴いブーツもビンディングに合った専用の物を使用する。【選択図】図１
2004275664.tif 000002
【特許請求の範囲】
【請求項１】
前足側をストラップ式で完全に固定し、後ろ足側を踏み込むだけで固定が出来る、ステップイン式と呼ばれることが多いビンディングを使用して、安全性を高め、素早く着脱が出来ることを特徴とするビンディングシステムと、それに伴う専用ブーツ。
【発明の詳細な説明】
【０００１】
【発明の属する技術分野】
この発明は、スノーボードのビンディングシステムとブーツに関する。
【０００２】
【従来の技術】
従来のスノーボードのビンディングシステムは、図２のように両足のブーツをストラップ式で完全に固定する物と、図３のように両足のブーツを踏み込む事でスノーボードを固定する、ステップイン式の、大きく分けて２通りの方法がある。しかし両方ともに一長一短がある。
まずストラップで固定するタイプの長所は、ブーツ全体をストラップで固定するために確実に固定することができ、緩みなどが発生しにくく、スノーボードに力が伝わりやすくなっている。短所は、リフトから降りた時に、お尻を地面に付けた体勢でストラップを固定しなくてはならないので、時間がかかり、場所を必要とするので後続の人たちの邪魔になる事がある。
次にステップイン式の長所は、基本的には両足のブーツをビンディングに、踏み込むだけで固定でき、外すときにはレバーを引くと外れる仕組みなので、時間がかからずストラップ式の時のように地面にお尻を付ける事もない為、後続の人達の邪魔になることも少ない。短所は、踏み込んで固定しているだけなので、ストラップ式に比べて固定という点では、はるかに劣る為に、スノーボードに対する力が伝わりにくくなっている。また、踏み込むだけで、固定しているので、万が一ビンディングとブーツが確実に噛み合わずに、固定された場合は滑走中にビンディングからブーツが外れる恐れや、リフトに乗っている時に板が外れて、下を滑っている人に当たる可能性も考えられる。
【０００３】
【発明が解決しようとする課題】
しかしながら、以上の従来技術によれば、ストラップ式では取り付けに時間がかかり、後続の人たちの邪魔になる恐れがある。踏み込み式では、固定の仕方に不安がある。もし板が外れた時には事故に、つながる恐れさえも考えられる。
そこで、この発明は、取り付け時間を短くし、安全性も向上させる為のビンディングシステムと、それに伴う専用ブーツを提供することを課題とする。
【０００４】
【課題を解決するための手段】
以上の課題を解決するために、請求項１の発明は、前足側をストラップ式で完全に固定し、後ろ足側を踏み込むだけで固定が出来る、ステップイン式と呼ばれることが多いビンディングを使用して、安全性を高め、素早く着脱が出来ることを特徴とするビンディングシステムと、それに伴う専用ブーツである。
【０００５】
【発明の実施の形態】
この発明の一実施形態を、図１に示す。
レギュラースタンス、グーフィースタンスにより右足、左足の違いはあるが、スノーボード本体１の前足側にストラップ式ビンディング２を取り付け、前足側のブーツを完全に固定する。後ろ足用は、踏み込み式ビンディング３が取り付けられている為、簡単に着脱することができるようになっている。
【０００６】
「実施形態の効果」
この実施形態によれば、前足側のストラップ式ビンディングにより、完全に固定され、後ろ足は踏み込み式を使用する為、安全性を高め、着脱にも時間がかからなくなる。
【０００７】
「他の実施形態」
今までにも、ビンディングシステムは、多種多様な形の物が存在するが、全てのストラップ式と踏み込み式を組み合わせて使用する事ができる。それに伴い各ビンディングシステムに合った専用のブーツも必要である。
【０００８】
【発明の効果】
以上説明したように、この発明によれば、スノーボード用ビンディングシステムにストラップ式と踏み込み式を使用することにより、安全性の向上と着脱時にかかる時間の短縮ができる。
【０００９】
また、今までのストラップ式のようにお尻を付いて固定することがないので、雪で濡れる事もない。
【図面の簡単な説明】
【図１】この発明の一実施形態を示す斜視図である。
【図２】従来技術を示す斜視図である。
【図３】従来技術を示す斜視図である。
【符号の説明】
１  スノーボード本体          ２  ストラップ式ビンディング
３  踏み込み式ビンディング
【図１】
2004275664.tif 000003
【図２】
2004275664.tif 000004
【図３】
2004275664.tif 000005
(57)【要約】【課題】高齢者及び車椅子使用者が安全かつ容易に利用することが出来る仮設トイレを提供することを課題とする。【解決手段】内部に少なくとも便器を備えたトイレ空間を形成するハウジングと便槽を別個に設け、両者をホースで連結して糞尿を糞尿搬送用ポンプで便槽に送ることにより、トイレに付属するスロープや昇降装置を設けることなく仮設トイレの床面をその設置面とほぼ同一の高さとして段差を解消することができる。このことから上記の課題を解決する。【選択図】図５
2004275662.tif 000002
【特許請求の範囲】
【請求項１】
内部に少なくとも便器を備えたトイレ空間を形成するハウジングと便槽を別個に設けることにより、仮設トイレ床面を仮設トイレの設置面とほぼ同一高さとすることを可能にした仮設トイレ。
【請求項２】
排泄された糞尿を粉砕する粉砕器と、便器と便槽とを連結するホースと、粉砕された糞尿をホースを介して便槽に送るポンプとを備えている請求項１記載の仮設トイレ。
【請求項３】
便槽とトイレ空間を形成する１又は複数のハウジング内に設置された複数の便器が、ホースを介して単一の便槽に連結されている請求項１又は２記載の仮設トイレ。
【発明の詳細な説明】
【０００１】
【発明の属する技術分野】
本発明は仮設トイレに関し、高齢者及び車椅子使用者が安全かつ容易に利用することができる仮設トイレに関するものである。
【０００２】
【従来の技術】
公園や観光地、駐車場、イベント会場などには、使用者数の変動に対応すべく従来から仮設トイレを設置することが行われている。しかしながら、これまではトイレ床面が設置面より高いため、高齢者及び車椅子使用者が容易に利用できる仮設トイレは存在しなかった。またテントやベニヤ板等で仮囲いの中にトイレを設けたものでも車椅子でトイレ床面に上がるまでには長いスロープか昇降装置が必要であった。
【０００３】
【発明が解決しようとする課題】
本発明は、高齢者及び車椅子使用者にとっての上記の不便さに鑑み、高齢者及び車椅子使用者が安全かつ容易に利用することができ、長いスロープ又はトイレに付属する昇降装置を設けることなく、容易に利用することが可能な高齢者及び車椅子使用者用仮設トイレを提供することを課題とするものである。
【０００４】
【課題を解決するための手段】
上記問題を解決すべく鋭意工夫を重ねた結果、本発明はトイレ空間を形成するハウジングと便槽を別個に設け両者をホースで連結し糞尿を糞尿搬送用ポンプで便槽に送ることにより、省スペースと同時に高齢者及び車椅子使用者でも安全かつ容易にトイレを利用することができるようになることを見出して本発明を完成した。
【０００５】
すなわち、本発明は仮設トイレのトイレ空間を形成するハウジングと便槽を別個に設けることにより、高齢者及び車椅子使用者用仮設トイレの床面をスロープや昇降装置を設けることなくその設置面とほぼ同一の高さとすることを可能とし、それにより安易に高齢者及び車椅子使用者の使用を可能にするものである。
【０００６】
【発明の実施の形態】
以下本発明の実施の形態を図面を参照しながら説明するが、本発明が図示のものに限られる訳ではないことは勿論である。
【０００７】
図１は本発明の仮設トイレの概略を示す斜視図であり、一部を切り欠いて内部が見えるようにしてある。本発明の仮設トイレ１はハウジング２から構成され、ハウジング２は四方の壁３、屋根４、床５、柱６によってトイレ空間を構成している。トイレの空間を形成する壁３の一部には、ドア７が備えられている。８は便器であり、９は手洗い器、１０は手摺り、１１は糞尿搬送用ポンプである。
【０００８】
次に図２は便器２内部の構造を説明する図であり、便器８の内部には粉砕器１２が設けられている。１３は便器糞尿排出口である。図３は便器２と糞尿搬送用ポンプ１１の外観を示す斜視図である。
【０００９】
排泄された糞尿は図２に示す便器２内部の粉砕器１２によって粉砕され、粉砕された糞尿は図３の糞尿搬送用ポンプ１１により容易に便器糞尿排出口１３から便器８外部へと送出される。
【００１０】
図４に示したように、便器糞尿排出口１３にトイレ側ホースつなぎ口１４を介してホース１５の一端を接続し、ホース１５の他端を便槽１７側の便槽側ホースつなぎ口１６と接続する事で離れた場所に設置した便槽１７に糞尿搬送用ポンプ１１で糞尿を容易に送ることが可能である。
【００１１】
このように本発明の仮設トイレにおいては、便槽１７をトイレ空間を形成するハウジングと別個に設けたので便器８の下に便槽１７を置く必要がなく、仮設トイレ１の床５面をその設置面とほぼ同一の高さににすることができ、段差が解消できる。なお、１８はくみ取り口である。
【００１２】
また、図５のように便槽１７に便槽側ホースつなぎ口１６を複数設けることで複数の仮設トイレ１、１９をホース１５で単一の便槽１７に接続することが可能であり、便槽の容量が満杯になっても便槽のみを容易に交換することが可能である。仮設トイレ１を３個以上複数個使用する場合も１つの便槽１７にホース１５で接続し、使用可能であることは言うまでもない。
【００１３】
【発明の効果】
以上説明したように、本発明の仮設トイレは仮設トイレ床面をその設置面とほぼ同一の高さとして段差を解消できることから、高齢者及び車椅子使用者の労力的負担や危険性を低減し、安全かつ容易に利用することができる優れた効果が得られるものである。
【図面の簡単な説明】
【図１】本発明の仮設トイレの概略を示す斜視図である。
【図２】本発明の仮設トイレに設置する便器内部の構造についての説明図である。
【図３】本発明の仮設トイレに設置する便器と糞尿搬送用ポンプの外観を示す斜視図である。
【図４】本発明の仮設トイレに設置する便器から便槽までの概略を示す斜視図である。
【図５】本発明の仮設トイレを２個以上複数個使用した場合の概略を示す斜視図である。
【符号の説明】
１        仮設トイレ
２        ハウジング
３        壁
４        屋根
５        床
６        柱
７        ドア
８        便器
９        手洗い器
１０        手摺り
１１        糞尿搬送用ポンプ
１２        粉砕器
１３        便器糞尿排出口
１４        トイレ側ホースつなぎ口
１５        ホース
１６        便槽側ホースつなぎ口
１７        便槽
１８        くみ取り口
１９        仮設トイレ
【図１】
2004275662.tif 000003
【図２】
2004275662.tif 000004
【図３】
2004275662.tif 000005
【図４】
2004275662.tif 000006
【図５】
2004275662.tif 000007
(57)【要約】【課題】従来、布おしぼりは主に水を用いて洗浄、消毒を行い紙おしぼりは主に水と消毒薬で濡れた状態を保持している。しかしながら現状のおしぼりは、どの製品もほぼ同一で特徴が無いため、製品の価値を高めるためるにあたり何らかの付加価値をつける必要があった。【解決手段】本発明者等は係る課題を解決するために鋭意研究したところ、重水素減少水（スーパーライトウォーター）を布おしぼりの洗浄、消毒に使用し、紙おしぼりは濡れた状態の保持に重水素減少水（スーパーライトウォーター）と消毒薬を使用する方法を開発し、付加価値の付いた布おしぼり、紙おしぼりを製造することである。【選択図】図１
2004275658.tif 000002
【特許請求の範囲】
【請求項１】
水と、１４９ｐｐｍ以下の含有量の重水素を有し、又は、活性剤として、１４９ｐｐｍ以下の含有量の重水素を含み、担体又は助剤と共に、製薬学的な製品或いは医薬溶液の形での、ヒトに適する水性溶液である、重水素減少水（スーパーライトウォーター）で消毒すすぎを行なった布おしぼり、又は重水素減少水（スーパーライトウォーター）を含ませた紙おしぼりの製造。
【発明の詳細な説明】
【０００１】
【発明の属する技術分野】
本発明は、おしぼりの製造を重水素減少水（スーパーライトウォーター）を使用しておこなうものである。
【０００２】
【従来の技術】
一般に布おしぼりは主に水を用いて洗浄、消毒を行い紙おしぼりは主に水と消毒薬で濡れた状態を保持している。
【０００３】
【発明が解決しようとする課題】
しかしながら現状のおしぼりは、どの製品もほぼ同一で特徴が無いため、製品の価値を高めるためるにあたり何らかの付加価値をつける必要があった。
【０００４】
【課題を解決するための手段】
本発明者等は係る課題を解決するために鋭意研究したところ、重水素減少水（スーパーライトウォーター）を布おしぼりの洗浄、消毒に使用し、紙おしぼりは濡れた状態の保持に重水素減少水（スーパーライトウォーター）と消毒薬を使用する方法を開発して、本発明を提供するものである。
【０００５】
すなわち本発明は、布おしぼり、紙おしぼりを製造するにあたり、水に変えて重水素減少水（スーパーライトウォーター）を使用することを特徴とする布おしぼり、紙おしぼりの製造方法である。
【０００６】
【発明の実施の形態】
本発明は布おしぼりの場合、消毒すすぎを重水素減少水（スーパーライトウォーター）で行い製造される。製造工程は図１となる。
【０００７】
紙おしぼりの場合は重水素減少水（スーパーライトウォーター）と消毒薬で濡れた状態にして袋詰めにすることにより製造される。製造工程は図２となる
【０００８】
【発明の効果】
以上説明したように、本発明によれば重水素濃度１４９ｐｐｍ以下の重水素減少水（スーパーライトウォーター）を使用した布おしぼり、紙おしぼりは容易に製造することができ、おしぼりとしての商品価値は、従来の物より高めることが可能となる。
【図面の簡単な説明】
【図１】重水素減少水（スーパーライトウォーター）を使用した布おしぼりの製造工程。
【図２】重水素減少水（スーパーライトウォーター）を使用した紙おしぼりの製造工程。
【図１】
2004275658.tif 000003
【図２】
2004275658.tif 000004
(57)【要約】〔課題〕  受尿器具本体一つで使用時開口部の部材を交換着装する事により男女両用に使用が可能であり使用後は蓋を着装する事により臭気と貯留物の流出を防ぐ安全な受尿器具を提供する。〔解決の手段〕  受尿器具本体一部の開口部（７）に蓋（４）と女子用受尿部材のネジ溝を配し受尿器具同一本体で利用目的に応じて女子用受尿部材や蓋の着装を可能とするを特徴とする。【選択図】  図１
2004275655.tif 000002
【特許請求の範囲】
【請求項１】
受尿器具の一部に設けた開口部に蓋及び女性用受尿部材の着装の為のネジ溝を配し器具内に貯溜せる内容物の外部への漏洩防止と同一本体器具で女性用受尿部材と蓋の着脱を可能にした受尿器具。
【発明の詳細な説明】
【０００１】
〔発明に属する技術分野〕
本発明は受尿器具の一部の開口部に蓋と女性用受尿部材着脱のネジ溝を配して横転又は携帯に際し開口部に蓋を配し内容貯溜物の流出する心配もなく受尿部材の交換により男女両用に使用可能な受尿器具に係るものである。
【０００２】
〔従来の技術〕
従来この種の器具には男女別々の形態を有した開口部を持ち開口部は常時開放の形態であり外部に貯溜物の臭気がもれ又携帯することも容易でなかった。
【０００３】
〔発明が解決しようとする課題〕
従来次の様な欠点があった。
（イ）  受尿器具は従来男女別々の器具であった。
（ロ）  受尿器具の開口部には特に蓋がなかった。
（ハ）  器具使用後の移動の際内容物の漏洩の心配があった。
本発明はこの様な問題を解決する為に提案されたものである。
【０００４】
〔発明が解決する為の手段〕
本発明は受尿器具の一部に設けた開口部に受尿器具内部の貯溜物流出防止の為の蓋と女性用受尿部材の装着の為にネジ溝を配して使用の場合は蓋を外し男子の場合は開口部に直接使用し女子の場合は女性用部材を開口部に着装して使用する本考案は以上の様な構成よりなる受尿器具である。
【０００５】
〔発明の実施の形態〕
以下本案の実施の形態について説明する。
（イ）  受尿器具の本体（１）の開口部に蓋と女性用受尿部材（５）の装着の為のネジ溝（３）を設ける。
（ロ）  受尿器具本体の１部に取扱容易な取手（２）を設ける。
之を使用する時は開口部に着装せる蓋をネジ溝より外し男子は開口部より直接使用し女子の場合は女子用部材を開口部のネジ溝部分に着装して使用し使用後は再び蓋を着装する事により内容物の漏洩を防ぎ移動する事が容易である。
本発明は以上のような単純な構造でありながら従来の欠点をすべて満足させ得るものである。
【０００６】
〔発明の効果〕
同一本体器具の使用で男女両用に開口部の部材の交換により利用が可能で蓋を着装する事により内容物の臭気や流出が防止出来て器具の移動が容易になった。
【図面の簡単な説明】
【図１】本発明の斜視図である。
【図２】本発明の１部を切り欠いた側面図である。
【図３】本発明の女子用部材の斜視図である。
【図４】本発明の女子用部材の１部を切り欠いた側面図である。
【符号の説明】
１  受尿用器具本体    ２  本体取手    ３  ネジ溝
４  受尿用器具本体の蓋    ５  女子用受尿部材
６  女子用部材内部に封入せるスプリング    ７  開口部
【図１】
2004275655.tif 000003
【図２】
2004275655.tif 000004
【図３】
2004275655.tif 000005
【図４】
2004275655.tif 000006
(57)【要約】【課題】携帯電話と容器をつなげるためのヒモを設けたことを特徴とする容器はなかったため、携帯電話と容器をつなげることができなかった。【解決手段】容器にヒモ３を設ける。また、容器は例えば、札入れである。また、ヒモ３は例えば、札入れのフタ２若しくは札入れ本体１に設ける。【選択図】図２
2004275653.tif 000002
【特許請求の範囲】
【請求項１】
携帯電話と容器をつなげるためのヒモを設けたことを特徴とする容器。
【請求項２】
携帯電話と容器をつなげるためのヒモを設け、この容器は札入れであることを特徴とする請求項１記載の容器。
【請求項３】
携帯電話と、札入れであることを特徴とする容器をつなげるためのヒモを、札入れであることを特徴とする容器のフタ若しくは札入れであることを特徴とする容器本体に設けたことを特徴とする請求項１記載の容器。
【発明の詳細な説明】
【０００１】
【発明の属する技術分野】
この発明は、携帯電話と容器をつなげるためのヒモを設けたことを特徴とする容器に関するものである。
さらに詳しくは、この発明は、携帯電話と札入れをつなげるためのヒモを設けたことを特徴とする札入れに関するものである。
【０００２】
【従来の技術】
従来は、携帯電話と容器をつなげるためのヒモを設けたことを特徴とする容器はなかった。
さらに詳しくは、従来は、携帯電話と札入れをつなげるためのヒモを設けたことを特徴とする札入れはなかった。
【０００３】
【発明が解決しようとする課題】
従来は、携帯電話と容器をつなげるためのヒモを設けたことを特徴とする容器はなかったため、携帯電話と容器をつなげることができなかった。
そこで、この発明は、携帯電話とつなぐことができる容器を提供することを課題とする。
【０００４】
【課題を解決するための手段】
以上の課題を解決するために、請求項１の発明は、携帯電話と容器をつなげるためのヒモを設けたことを特徴とする容器である。
また、請求項２の発明は、携帯電話と容器をつなげるためのヒモを設け、この容器は札入れであることを特徴とする容器である。
また、請求項３の発明は、携帯電話と、札入れであることを特徴とする容器をつなげるためのヒモを、容器のフタ若しくは容器本体に設けたことを特徴とする容器である。
【０００５】
【発明の実施の形態】
この発明の一実施形態を図１に示す。
容器本体１とフタ２は円筒型の金属製であり、紙幣１１等を入れるために中は空洞になっており、容器本体１とフタ２は契合するネジ溝７を有している。容器本体１のネジ溝７にはネジ緩み防止の輪状ゴム８が設けられている。このフタ２には輪４が設けられており、輪４にヒモ３が設けられている。
【０００６】
「他の実施の形態１」
図１の実施形態では、容器本体１とフタ２は金属製であったが、他の実施形態では、容器本体１とフタ２はプラスチック製でも良い。
【０００７】
「他の実施の形態２」
図１の実施形態では、容器本体１とフタ２は金属製であったが、他の実施形態では、容器本体１とフタ２はガラス製でも良い。
【０００８】
「他の実施の形態３」
図１の実施形態では、容器本体１とフタ２は円筒型であったが、他の実施形態では、容器本体１とフタ２は、図３のように三角柱型や、図４のように四角柱型や、図５のように五角柱型や、図６のように六角柱型という多角柱型でも良い。
【０００９】
「他の実施の形態４」
図１の実施形態では、フタ２に輪４を設けているが、他の実施形態では、図７のように輪４は容器本体１に設けても良い。
【００１０】
「他の実施の形態５」
図１の実施形態では、フタ２に輪４を設けているが、他の実施形態では、図８のように、フタ２に上面と裏面を貫通させた穴５を設け、ヒモ３を通し、ヒモ３は結び目９又は止め具１０で止めても良い。
【００１１】
「他の実施の形態６」
図１の実施形態では、フタ２に輪４を設けているが、他の実施形態では、図９のように、フタ２に上面と側面を貫通させた穴６を設け、ヒモ３を設けても良い。
【００１２】
「他の実施の形態７」
図１の実施形態では、フタ２に輪４を設けているが、他の実施形態では、図１０のように、容器本体１に上面と裏面を貫通させた穴５を設け、ヒモ３を通し、ヒモ３は結び目９又は止め具１０で止めても良い。
【００１３】
「他の実施の形態８」
図１の実施形態では、フタ２に輪４を設けているが、他の実施形態では、図１１のように、容器本体１に上面と側面を貫通させた穴６を設け、ヒモ３を設けても良い。
【００１４】
「他の実施の形態９」
図１の実施形態では、容器本体１のネジ溝７には輪状ゴム８が設けられているが、他の実施形態では、輪状ゴム８は無くても良い。
【００１５】
【発明の効果】
以上説明したように、この発明によれば、容器にヒモを設けたので、携帯電話と容器をつなぐことができる。
【図面の簡単な説明】
【図１】この発明の容器本体１に紙幣１１を収納し、フタ２を閉める前の状態を示す斜視図である。
【図２】この発明の使用状況を示す斜視図である。
【図３】この発明の三角柱型の容器を示す斜視図である。
【図４】この発明の四角柱型の容器を示す斜視図である。
【図５】この発明の五角柱型の容器を示す斜視図である。
【図６】この発明の六角柱型の容器を示す斜視図である。
【図７】この発明の容器本体１に、輪４を設けた状態を示す斜視図である。
【図８】この発明のフタ２に、上面と裏面を貫通させた穴５を設けた斜視図である。
【図９】この発明のフタ２に、上面と側面を貫通させた穴６を設けた斜視図である。
【図１０】この発明の容器本体１に、上面と裏面を貫通させた穴５を設けた斜視図である。
【図１１】この発明の容器本体１に、上面と側面を貫通させた穴６を設けた斜視図である。
【符号の説明】
１  容器本体
２  フタ
３  ヒモ
４  輪
５  上面と裏面を貫通させた穴
６  上面と側面を貫通させた穴
７  ネジ溝
８  輪状ゴム
９  結び目
１０  止め具
１１  紙幣
１２  携帯電話
【図１】
2004275653.tif 000003
【図２】
2004275653.tif 000004
【図３】
2004275653.tif 000005
【図４】
2004275653.tif 000006
【図５】
2004275653.tif 000007
【図６】
2004275653.tif 000008
【図７】
2004275653.tif 000009
【図８】
2004275653.tif 000010
【図９】
2004275653.tif 000011
【図１０】
2004275653.tif 000012
【図１１】
2004275653.tif 000013
(57)【要約】      （修正有）【課題】従来はただ見守っていて、その時に手を添えて防止するしか方法のなかった、習慣性の顎はずれを予防することを主たる目的とし、容易に脱着でき、装着時には痛みや違和感を生じることなく、しかも自由に口や頭部を動かすことができる廉価な医療用・介護用のサポーターを提供する。【解決手段】顔にぴったりと添うように裁断・縫製した帯状布と、後頭部から支える帯状布からなり、それぞれに面ファスナーを複数箇所に配設固定することにより、どんなサイズの顔面および頭部でも自由に調節適合させることができ、しかも脱着の操作が簡便である上、通常の口の開閉を確保しながら顎はずれが防止できることを特徴とする。【選択図】図１
2004275654.tif 000002
【特許請求の範囲】
【請求項１】
伸縮性のない生地を一般的な人間の顔の輪郭通りに裁断、縫製し、顔の周囲を囲む幅４５ｍｍの帯状布と、後頭部から支える交差型帯状布を、面ファスナー（マジックテープ）で連結することを特徴とするフリーサイズの医療用、介護用顎はずれ防止サポーター。
【請求項２】
顎の先端は、顎の曲線に合わせたＲを上下・左右に配し、顔の曲線に合わせたＲを施した裁断・縫製を特徴とする請求項１のサポーター。
【請求項３】
連結用面ファスナー（マジックテープ）を前頭部、両耳上、顎の両側に配した請求項１のサポーター。
【発明の詳細な説明】
【０００１】
［発明の属する技術分野］
本発明は、習慣性となった顎はずれの防止を図ったサポーターに関する。
【０００２】
［従来の技術］
従来は市販品がなく、タオル等で固定したりしていたため、締め付けがきつすぎると口が開かなかったり、緩すぎると機能しなかったりで、安心して着装していられなかった。
【０００３】
［特許文献１］
【０００４】
［非特許文献１］
【０００５】
［発明が解決しようとする課題］
従来はただ見守っていて、その時に手を添えて防止するしか方法のなかった、習慣性の顎はずれを予防することを主たる目的とし、容易に脱着でき、装着時には痛みや違和感を生じることなく、しかも自由に口や頭部を動かすことができる廉価な医療用・介護用のサポーターを提供することを目的とするものである。
【０００６】
［課題を解決するための手段］
本発明は、顔にぴったりと添うように裁断・縫製した帯状布と、後頭部から支える帯状布からなり、それぞれに面ファスナー（マジックテープ）を複数箇所に配設固定することにより、どんなサイズの顔面および頭部でも自由に調節適合させることができ、しかも脱着の操作が簡便である上、通常の口の開閉を確保しながら顎はずれが防止できることを特徴とする。
【０００７】
［発明の実施の形態］
以下、本発明の実施の形態を図１〜図４に基づいて説明する。
【０００８】
図においては、１は顎を包み頭頂部で止め合わせる。
【０００９】
２は耳の上で１の両側と止め合わせる。
【００１０】
３と４は２に縫製されているものであり、両耳の下でそれぞれ１と止め合わせる。
【００１１】
５から１４は面ファスナー（マジックテープ）である。
【００１２】
［実施例］
図４は、実際に装着した時の様子である。
【００１３】
［発明の効果］
本発明は、習慣性の顎はずれを防止することで、本人から不安や苦痛を取り除くとともに、介護者等をも本人から目が離せないという時間的束縛から開放する。
【図面の簡単な説明】
【図１】本体装着時の状態を示した正面透視図である。
【図２】本体１のパーツを示した図である。
【図３】本体２，３，４のパーツを示した正面図である。
【図４】実際に本体を装着した時を示す正面図である。
【符号の説明】
１〜４は布製本体を示す。
５〜１４は面ファスナー（マジックテープ）を示す。
【図１】
2004275654.tif 000003
【図２】
2004275654.tif 000004
【図３】
2004275654.tif 000005
【図４】
2004275654.tif 000006
(57)【要約】【課題】特別な器具や運動を必要とせず、日常生活の中でＯ脚を矯正する靴の中敷を提供する。【解決手段】靴の中敷本体１の母趾球周辺部２の厚さを薄くすることにより、日常の歩行や立った状態で、股関節、膝関節周辺の筋肉をほぐし、関節の柔軟性を増すことができる。【選択図】図１
2004275659.tif 000002
【特許請求の範囲】
【請求項１】
母趾球周辺部が接する部分を薄くすることにより、日常の歩行や立った状態で股関節、膝関節の柔軟性を増し、Ｏ脚を矯正することを特徴とする靴の中敷。
【発明の詳細な説明】
【０００１】
【発明の属する技術分野】
この発明は、靴の中敷の形状に関する。
【０００２】
【従来の技術】
従来は、母趾球周辺部のみの厚さを薄くしてある形状の靴の中敷はなかった。
【０００３】
【発明が解決しようとする課題】
従来技術によれば、Ｏ脚矯正には、器具を使用したり、時間をかけて運動することを必要とした。
そこで、この発明は、特別な器具や運動を必要とせず、日常生活の中でＯ脚を矯正する靴の中敷を提供することを課題とする。
【０００４】
【課題を解決するための手段】
以上の課題を解決するために、靴の中敷本体１の母趾球周辺部２の厚さを薄くしたことを特徴とする靴の中敷である。
【０００５】
【発明の実施の形態】
この発明の実施の形態を、図１に示す。
靴の中敷本体１の母趾球周辺部２の厚さを薄くする。
【０００６】
「実施形態の効果」
この実施形態によれば、母趾球周辺部２の厚さを薄くすることにより、歩行時や直立時に、股関節が内側に絞られた状態となる。加重、抜重を繰り返すことにより、股関節、膝関節周辺の筋肉をほぐし、関節の柔軟性を増すことができる。したがって、Ｏ脚が矯正される。
【０００７】
「他の実施形態」
図１の実施形態では、母趾球周辺部２の厚さを薄くしたものであったが、他の実施形態では、母趾球周辺部２の沈み込みを大きくする素材を使ったものや、母趾球周辺部２のない状態でも良い。
【０００８】
【発明の効果】
以上説明したように、この発明によれば、日常の生活で無理なくＯ脚を矯正することができる。
【図面の簡単な説明】
【図１】この発明の実施形態を示す正面図である。
【図２】この発明の断面図である。
【符号の説明】
１靴の中敷本体
２母趾球周辺部
【図１】
2004275659.tif 000003
【図２】
2004275659.tif 000004
(57)【要約】【課題】歯ブラシは時間を費やす上、外出時や急を要する場合などの使用は難しかった。【解決手段】保湿剤を含むシートに、歯磨剤（むし歯予防、歯周疾患予防、口臭予防）を含浸させ、手軽に口腔内清掃ができるシートを提供する。【選択図】図１
2004275657.tif 000002
【特許請求の範囲】
【請求項１】
歯磨剤（むし歯予防、歯周疾患予防、口臭予防）を含浸させて成る口腔内清掃用シート。
【発明の詳細な説明】
【０００１】
【発明の属する技術分野】
この発明は、口腔内清掃の性質を持つシートである。
【０００２】
【従来の技術】
従来の口腔清掃具は主に歯ブラシであり、時間を費やす上、外出時や急を要する場合などの使用は難しかった。
【０００３】
【発明が解決しようとする課題】
しかしながら、以上の従来技術によれば、時間を費やす上、外出時や急を要する場合などの使用は難しかった。
そこで、この発明は、どのような場合でも手軽に口腔内を清掃できるシートを提供することを課題とする。
【０００４】
【課題を解決するための手段】
以上の課題を解決するために、請求項１の発明は、歯磨剤（むし歯予防、歯周疾患予防、口臭予防）を含浸させることを特徴とするシートである。
【０００５】
【発明の実施の形態】
この発明の一実施形態を、図１に示す。
本体１はシートであり、２保湿剤を含むものにして、３歯磨剤（むし歯予防、歯周疾患予防、口臭予防）を含浸させている。
【０００６】
「実施形態の効果」
この実施形態によれば、食物残やプラークを除去することができる。
【０００７】
【発明の効果】
以上説明したように、この発明によれば、このシートで歯や歯肉を擦ることで、歯ブラシを使用しなくても口腔内を清掃することができ、さらに歯肉マッサージ効果を得られる。
【図面の簡単な説明】
【図１】この発明の一実施形態を示す正視図である。
【符号の説明】
１シート本体              ２保湿剤
３歯磨剤（むし歯予防、歯周疾患予防、口臭予防）
【図１】
2004275657.tif 000003
(57)【要約】【課題】ビルや地下鉄の火災などにより発生した有毒ガスの充満するエリアから避難するためには、呼吸が数分間できるだけの酸素供給能力を持ち、常時持ち運びできる酸素マスクが必要である。ポケットに収納可能な、非常にコンパクトなサイズの超小型携帯酸素マスクを提供する。【解決手段】水が封入されている容器３と、酸素発生剤と触媒が混合されている容器４、そして活性炭フィルター１０から酸素発生装置は構成される。容器３を回転させると、容器４のネジの先端部分にあるツメ９によってフィルム８が破られ、酸素発生剤としての過炭酸ナトリウムと触媒作用をもつ二酸化マンガンが容器３の水の中で酸素を発生させる。発生した酸素は、フィルターを通って、酸素貯めとマスクの機能を併せもつ袋状容器に流入し、数分間の呼吸を可能にする。酸素発生装置は小型であり、袋状容器は折りたためばコンパクトになるので、ポケットに収納できるサイズが実現する。【選択図】  図１
2004275694.tif 000002
【特許請求の範囲】
【請求項１】
酸素を発生する比較的小型の装置を袋状のマスクに取り付け、携帯できるようにした酸素マスク。
【請求項２】
酸素発生剤、水性溶媒、触媒を材料にして酸素を発生させる比較的小型の装置に、酸素貯めとマスクの役目を同時にはたす袋状の容器を取り付けた、バッグやポケットの中にも入るほどのきわめてコンパクトな酸素マスク。
【発明の詳細な説明】
【０００１】
【発明の属する技術分野】
本発明は、酸素発生剤として過炭酸ナトリウム、水性溶媒として水、触媒として二酸化マンガンを混合することにより酸素を発生させる比較的小型の装置を、プラスチック素材で構成される袋状の容器に取り付け、数分間の呼吸を可能にしたものである。また、本発明は、携帯することを前提にしているので、バッグやポケットに収納できるほどのきわめてコンパクトな形態になっている。
【０００２】
【従来の技術】
従来、携帯用簡易酸素マスクといえば、使い捨てスプレー缶に充填した酸素ボンベと伸縮自在のコイル状のビニルホースとマスクから成る酸素吸入セットという発想がほとんどであった。また、簡易酸素発生装置といっても、酸素発生剤や水や触媒を用いるという原理的なものは本発明と同じなものの、それは比較的長時間安定した酸素の供給を可能とする目的があったため、その容量は本発明と比較すると格段に大き過ぎ、バッグやポケットに入れて常時持ち運ぶにはいずれも適さないものであった。
【０００３】
【発明が解決しようとする課題】
ビル火災や地下鉄火災などにより発生した有毒ガスが充満するエリアから逃れるには、数分間そのガスを吸わないことが生死を分けるといわれている。そうした事態は予測不能でいつ起きるかわからない。だから、そのような不測の事態に備えた避難グッズを常に持ち歩くことが、自分の身を守るために必要不可欠なのである。そのためには、できるだけコンパクトで常時携帯でき、かつ数分間の呼吸を可能にする酸素マスクが必要とされるのである。
【０００４】
【課題を解決するための手段】
本発明は、比較的長時間安定した酸素供給をめざすもではなく、わずか数分間の酸素供給を目的としているため、酸素発生装置は比較的小型であり、しかも、その発生した酸素をムダなく効率的に使用するために、酸素貯めとマスクの機能を併せもつプラスチック素材の袋状容器が、その装置に連結している。
【０００５】
【発明の実施の形態】
本発明は、外出先の電車、地下道、ビル内での不意の火災等により発生した有毒ガスを極力吸引せず、その場から避難することを重点においた、常時携帯できるきわめてコンパクトな酸素マスクである。それを図面について説明すれば、比較的小型の酸素発生装置１を、酸素貯めと口にあてるマスク機能を併せもつ袋状のプラスチック容器２に連結する。小型の酸素発生装置１の構造については複室化しており、容器３には水５を、容器４には過炭酸ナトリウム６と二酸化マンガン７をそれぞれ入れる。容器３は水に溶けない薄いフィルム８で密封されている。容器３を回転すると、容器４のネジの先端部にあるツメ９によってフィルムが破られることにより、過炭酸ナトリウムと二酸化マンガンは容器３の室に入り込み水と反応し、二酸化マンガンの触媒作用により、酸素発生が起きる。この酸素がフィルター１０を通過して、袋状容器２に流入していく。フィルターは、酸素を発生させる際、水などの液体が瞬間的に袋状容器２に流れこまないようにし、気体である酸素を通過させる働きを有する。袋状容器２の口に当たる部分には、片手で抑えても口もとや鼻にフィットしやすいように、いわばパッキンのような役目をはたす比較的厚い素材１１が取り付けられている。そしてこの部分には、両耳にかけられるように２本のヒモ１２が付属している。酸素発生装置は小型であり、袋状容器２も折りたためば極めてコンパクトになり、バッグやポケットに収納できるサイズの超小型携帯酸素マスクが実現する。
【０００６】
【発明の効果】
このようにすれば、小さなバッグやポケットに入るほどの非常にコンパクトな収納ができ、それは同時に常時携帯を可能にする。不測の事態に備えるためには、この常時携帯という概念がなによりも重要で、これなくしては携帯酸素マスクの存在理由は何もないとさえいえるのである。袋状のマスクを口に装着し、顔を多少うつむきかげんにすると、小型酸素発生装置の重みも加わって、袋は圧迫されることなく自然に下に垂れ下がることになる。こうした状態で酸素を発生させると、呼吸によって排出された二酸化炭素は、酸素との質量の相対的な関係上、袋の下部に沈むことになり、発生した酸素を上方に押し上げ、酸素発生量があまり多くなくとも、それを外部に逃がすことなく、数分間にわたる効果的な呼吸を可能にするのである。
【図面の簡単な説明】
【図１】酸素発生装置と、酸素貯め機能をもつ袋状容器を示した断面図である。
【図２】酸素発生装置が連結している袋状容器を装着した際の斜視図である。
【図３】袋状容器をコンパクトに収納したときの側面図である。
【符号の説明】
１  酸素発生装置
２  酸素貯めとマスク機能を併せもつ袋状容器
３  水が入っている容器
４  過炭酸ナトリウムと二酸化マンガンが混合されている容器
５  水
６  過炭酸ナトリウム
７  二酸化マンガン
８  容器３の水を密封する薄いフィルム
９  フィルム８を破るツメ
１０  活性炭が入っているフィルター
１１  口もとや鼻にフィットする比較的厚みをおびたプラスチック素材
１２  耳にかけるヒモ
１３  収納した袋状容器のカバー
【図１】
2004275694.tif 000003
【図２】
2004275694.tif 000004
【図３】
2004275694.tif 000005
(57)【要約】〔課題〕この発明は、人間の親指と人差し指の間にある水かき部を指圧する指圧器である。〔解決手段〕木、セラミック、鉄、チタン合金、合成樹脂、ゴム、金  銀、銅、合金、真鍮、の素材を１もしくは２以上を用いて造られた指圧器。【選択図】図１
2004275693.tif 000002
【特許請求の範囲】
【請求項１】
図面１の形状構成で（イ）の止め具を支点（ロ）の握り部分を力点（ハ）の球状部分を作用点としたテコの原理を応用し、木、セラミック、鉄、チタン、合金、合成樹脂、ゴム、金、銀、銅、真鍮、白金等の素材を１、もしくは２以上を用いて図面（１）の形状を造った指圧器。
【発明の詳細な説明】
この発明は、家庭用の部分指圧器である。
従来人間の手の親指と人差し指の間にある水かき部を指圧する場合、反対側の手の親指と人差し指の指先を用いて挟み力を入れる為、すぐに疲れて思うように指圧効果が得られなかった。
本発明は図１の（ハ）の部分で図２の（ニ）の部分を挟み（ロ）の部分を握りこむだけで十分な指圧効果を得られるものである。
【図面の簡単な説明】
【図１】本説明の斜視図である。
【図２】本発明の使用中の斜視図である。
【符号の説明】
（イ）は止め具  （ロ）は握り具  （ハ）は指圧球  （ニ）は水かき部
【図１】
2004275693.tif 000003
【図２】
2004275693.tif 000004